(57)【要約】【課題】  吸込ヘッドが上下逆向きにされた際に回転ブラシの電気モータの駆動を確実に防止する吸込ヘッド及び電気掃除機を提供する。【解決手段】  本発明の吸込ヘッド１は、回転ブラシ３０と、電気モータと、スイッチと、ストッパ片４７と、ボール４６と、ガイド部４８と、を有する。吸込ヘッド１のガイド部４８は、水平な被清掃面Ｇ上に吸込ヘッド１が置かれた状態において、上下方向に延びる第１のガイド部４８１と、第１のガイド部４８１の上端の第１の端部４８１ａに接続しかつ第１の端部４８１ａへ向かって上方へ傾斜する第２のガイド部４８２と、を有する。吸込ヘッド１が上下逆向きにされた状態において、第２のガイド部４８２はボール４６を第１の端部４８１ａへ向かって転がるように案内し、第１のガイド部４８１はストッパ片４７との間でボール４６の水平方向の移動を制限する。【選択図】図１２
2015073675.tif 000002
【特許請求の範囲】
【請求項１】
底部に開口した吸込開口部から一部が突出するように設けられた回転ブラシと、
前記回転ブラシを回転する電気モータと、
前記電気モータの通電状態と非通電状態を切り替える接点を有するスイッチと、
前記接点を押すアームと、
前記アームと連動するストッパ片と、
前記アームと連動するスイッチ用車輪と、
前記ストッパ片の移動を制限することができるボールと、
前記ボールを案内するガイド部と、
を有する吸込ヘッドであって、
前記ガイド部は、水平な被清掃面上に吸込ヘッドが置かれた状態において、上下方向に延びる第１のガイド部と、該第１のガイド部の上端の第１の端部に接続しかつ該第１の端部へ向かって上方へ傾斜する第２のガイド部と、を有し、
前記吸込ヘッドが上下逆向きにされた状態において、前記第２のガイド部は前記ボールを第１の端部へ向かって転がるように案内し、前記第１のガイド部は前記ストッパ片との間で前記ボールの水平方向の移動を制限することを特徴とする、吸込ヘッド。
【請求項２】
請求項１において、
前記ストッパ片は、前記ボールを保持可能な湾曲部と、前記アームと連動して回転する回転中心のある基端部と、該湾曲部を挟んで該基端部と反対側にある先端部と、を有し、
前記ストッパ片の前記基端部は、前記第１のガイド部の仮想延長線上にあり、
前記ストッパ片の前記先端部は、吸込ヘッドが上下逆向きにされた際に、前記ボールが前記第２のガイド部の傾斜に沿って前記第１の端部へ向けて移動するように前記ボールを押すように回転可能であることを特徴とする、吸込ヘッド。
【請求項３】
請求項１または２において、
前記第１のガイド部は、前記第１の端部とは反対側の第２の端部を有し、
前記ガイド部は、前記第１のガイド部の前記第２の端部へ向かって上方へ傾斜する第３のガイド部をさらに有し、
前記第３のガイド部は、前記吸込ヘッドが上下逆向きにされた状態において、前記ボールが前記第２のガイド部へ転がるように傾斜していることを特徴とする、吸込ヘッド。
【請求項４】
電動送風機を有する電気掃除機本体と、
前記電気掃除機本体に接続された筒状の吸引管と、
前記吸引管の先端に接続された請求項１〜３のいずれか１項に記載の吸込ヘッドと、
を具備したことを特徴とする、電気掃除機。
【発明の詳細な説明】
【技術分野】
【０００１】
本発明は、被清掃面の塵埃を吸引して除去する電気掃除機に使用する吸込ヘッド及びその吸込ヘッドを備えた電気掃除機に関する。
【背景技術】
【０００２】
近年、電気掃除機は、吸込ヘッド内に電気モータで回転する回転ブラシを備えるものが主流である。このような回転ブラシを備えた吸込ヘッドにおいては、通常、吸込ヘッドを被清掃面から持ち上げた場合に電気モータを停止させる操作部を有している（例えば、特許文献１）。
【０００３】
このような電気掃除機の吸込ヘッドは、電気モータの駆動を電気的にＯＮ・ＯＦＦ制御するスイッチと、操作部と、操作部に連動するストッパ片と、吸込ヘッドを上下逆向きにすると上下方向に移動するボールと、を備えている。操作部は、吸込ヘッドの被清掃面への離反・接地に連動して変位する検出部を有し、吸込ヘッドが被清掃面に接地されたときに検出部に連動してスイッチをＯＮ操作し、吸込ヘッドが被清掃面から離反したときに検出部に連動してスイッチをＯＦＦ操作している。
【０００４】
そして、このような従来の電気掃除機の吸込ヘッドは、吸込ヘッドが上下逆向きにされた際に、ボールを突起上に載せた状態で、鉛直方向に延びる壁部からなる当接部とストッパ片とでボールを水平方向で挟持することで、操作部の可動を阻止してスイッチのＯＦＦ状態を維持している。
【先行技術文献】
【特許文献】
【０００５】
【特許文献１】特開平７−６７８１４号公報
【発明の概要】
【発明が解決しようとする課題】
【０００６】
そこで、本発明の目的は、吸込ヘッドが上下逆向きにされた際に回転ブラシの電気モータの駆動を確実に防止する吸込ヘッド及び電気掃除機を提供することにある。
【課題を解決するための手段】
【０００７】
本発明にかかる吸込ヘッドは、
底部に開口した吸込開口部から一部が突出するように設けられた回転ブラシと、
前記回転ブラシを回転する電気モータと、
前記電気モータの通電状態と非通電状態を切り替える接点を有するスイッチと、
前記接点を押すアームと、
前記アームと連動するストッパ片と、
前記アームと連動するスイッチ用車輪と、
前記ストッパ片の移動を制限することができるボールと、
前記ボールを案内するガイド部と、
を有する吸込ヘッドであって、
前記ガイド部は、水平な被清掃面上に吸込ヘッドが置かれた状態において、上下方向に延びる第１のガイド部と、該第１のガイド部の上端の第１の端部に接続しかつ該第１の端部へ向かって上方へ傾斜する第２のガイド部と、を有し、
前記吸込ヘッドが上下逆向きにされた状態において、前記第２のガイド部は前記ボールを第１の端部へ向かって転がるように案内し、前記第１のガイド部は前記ストッパ片との
間で前記ボールの水平方向の移動を制限することを特徴とする。
【０００８】
本発明にかかる吸込ヘッドによれば、吸込ヘッドが上下逆向きにされた際に、ボールを傾斜した第２のガイド部によって第１のガイド部へ案内することができるため、ガイド部の所定位置へ案内されたボールによってストッパ片の移動が制限されるため、回転ブラシの電気モータの駆動を確実に防止することができる。
【０００９】
本発明にかかる吸込ヘッドにおいて、
前記ストッパ片は、前記ボールを保持可能な湾曲部と、前記アームと連動して回転する回転中心のある基端部と、該湾曲部を挟んで該基端部と反対側にある先端部と、を有し、
前記ストッパ片の前記基端部は、前記第１のガイド部の仮想延長線上にあり、
前記ストッパ片の前記先端部は、吸込ヘッドが上下逆向きにされた際に、前記ボールが前記第２のガイド部の傾斜に沿って前記第１の端部へ向けて移動するように前記ボールを押すように回転可能であることができる。
【００１０】
本発明にかかる吸込ヘッドによれば、吸込ヘッドが上下逆向きにされた際に、ストッパ片の先端部が第２のガイド部の傾斜に沿って第１のガイド部へボールを移動することができるため、回転ブラシの電気モータの駆動を確実に防止することができる。
【００１１】
ことができる。
【００１２】
本発明にかかる吸込ヘッドにおいて、
前記第１のガイド部は、前記第１の端部とは反対側の第２の端部を有し、
前記ガイド部は、前記第１のガイド部の前記第２の端部へ向かって上方へ傾斜する第３のガイド部をさらに有し、
前記第３のガイド部は、前記吸込ヘッドが上下逆向きにされた状態において、前記ボールが前記第２のガイド部へ転がるように傾斜していることができる。
【００１３】
本発明にかかる吸込ヘッドによれば、吸込ヘッドが上下逆向きにされた際に、ボールが第３のガイド部の傾斜に沿って移動して、第２のガイド部へ転がることができ、しかも第２のガイド部は上記したように第１のガイド部へ向けて傾斜しているため、回転ブラシの電気モータの駆動を確実に防止することができる。
【００１４】
本発明にかかる電気掃除機は、
電動送風機を有する電気掃除機本体と、
前記電気掃除機本体に接続された筒状の吸引管と、
前記吸引管の先端に接続された上記いずれかの吸込ヘッドと、
を具備したことを特徴とする。
【００１５】
本発明にかかる電気掃除機によれば、吸込ヘッドが上下逆向きにされた際に、ボールを傾斜した第２のガイド部によって第１のガイド部へ案内することができるため、ガイド部の所定位置へ案内されたボールによってストッパ片の移動が制限されるため、回転ブラシの電気モータの駆動を確実に防止することができる。
【００１６】
ことができる。
【発明の効果】
【００１７】
本発明にかかる吸込ヘッドによれば、吸込ヘッドが上下逆向きにされた際に、ボールを傾斜した第２のガイド部によって第１のガイド部へ案内することができるため、ガイド部の所定位置へ案内されたボールによってストッパ片の移動が制限されるため、回転ブラシ
の電気モータの駆動を確実に防止することができる。
【００１８】
また、本発明にかかる電気掃除機によれば、吸込ヘッドが上下逆向きにされた際に、ボールを傾斜した第２のガイド部によって第１のガイド部へ案内することができるため、ガイド部の所定位置へ案内されたボールによってストッパ片の移動が制限されるため、回転ブラシの電気モータの駆動を確実に防止することができる。
【図面の簡単な説明】
【００１９】
【図１】本発明の一実施形態にかかる電気掃除機の斜視図である。
【図２】本発明の一実施形態にかかる吸込ヘッドの平面図である。
【図３】本発明の一実施形態にかかる吸込ヘッドの右側面図である。
【図４】図２におけるＡ−Ａ断面図である。
【図５】上カバーを外した状態の吸込ヘッドの平面図である。
【図６】図２におけるＣ−Ｃ断面図である。
【図７】図２におけるＤ−Ｄ断面図である。
【図８】図２におけるＥ−Ｅ断面図である。
【図９】被清掃面から吸込ヘッドを持ち上げた状態のＣ−Ｃ断面の一部拡大図である。
【図１０】被清掃面から吸込ヘッドを持ち上げた状態のＤ−Ｄ断面の一部拡大図である。
【図１１】被清掃面から吸込ヘッドを持ち上げた状態のＥ−Ｅ断面の一部拡大図である。
【図１２】吸込ヘッドを上下逆向きにした状態を説明するＤ−Ｄ断面の一部拡大図である。
【図１３】本発明の他の実施形態にかかる電気掃除機の斜視図である。
【発明を実施するための形態】
【００２０】
以下、本発明の実施の形態について図面を参照しながら詳細に説明する。
【００２１】
本発明の一実施の形態にかかる吸込ヘッドは、底部に開口した吸込開口部から一部が突出するように設けられた回転ブラシと、前記回転ブラシを回転する電気モータと、前記電気モータの通電状態と非通電状態を切り替える接点を有するスイッチと、前記接点を押すアームと、前記アームと連動するストッパ片と、前記アームと連動するスイッチ用車輪と、前記ストッパ片の移動を制限することができるボールと、前記ボールを案内するガイド部と、を有する吸込ヘッドであって、前記ガイド部は、水平な被清掃面上に吸込ヘッドが置かれた状態において、上下方向に延びる第１のガイド部と、該第１のガイド部の上端の第１の端部に接続しかつ該第１の端部へ向かって上方へ傾斜する第２のガイド部と、を有し、前記吸込ヘッドが上下逆向きにされた状態において、前記第２のガイド部は前記ボールを第１の端部へ向かって転がるように案内し、前記第１のガイド部は前記ストッパ片との間で前記ボールの水平方向の移動を制限することを特徴とする。
【００２２】
また、本発明の一実施の形態にかかる電気掃除機は、電動送風機を有する電気掃除機本体と、前記電気掃除機本体に接続された筒状の吸引管と、前記吸引管の先端に接続された前記吸込ヘッドと、を具備したことを特徴とする。
【００２３】
図１は、本発明の一実施形態にかかる電気掃除機７０の斜視図である。図２は、本発明の一実施形態にかかる吸込ヘッド１の平面図である。図３は、本発明の一実施形態にかかる吸込ヘッド１の右側面図である。図４は、図２におけるＡ−Ａ断面図である。図５は、上カバー１ａを外した状態の吸込ヘッド１の平面図である。図６は、図２におけるＣ−Ｃ断面図である。図７は、図２におけるＤ−Ｄ断面図である。図８は、図２におけるＥ−Ｅ
断面図である。
【００２４】
図１に示すように、本発明の一実施の形態にかかる電気掃除機７０は、図示しない電動送風機を有する電気掃除機本体７１と、電気掃除機本体７１に接続された筒状の吸引管７５と、吸引管７５の先端に接続された吸込ヘッド１と、を具備したことを特徴とする。吸込ヘッド１は、電気掃除機７０に吸引管７５としての蛇腹状のホース７２及び剛性のある合成樹脂製の延長管７３を介して接続される。延長管７３の前端には吸込ヘッド１が接続し、延長管７３の後端はハンドル７４を有すると共にホース７２の前端が接続される。ホース７２は、その後端に剛性のある合成樹脂製の接続部７６が設けられ、接続部７６が電気掃除機本体７１に接続する。
【００２５】
ホース７２および延長管７３は内部が中空の筒状になっており、電気掃除機本体７１の内部に配置されている図示しない電動送風機によって内部の空気が吸気、排出されることにより負圧がかかることで吸込ヘッド１及び吸引管７５内に吸込気流を発生させることができる。
【００２６】
ハンドル７４には図示しない操作スイッチが設けられ、例えば、電動送風機の電源のＯＮとＯＦＦ及び吸引力の強弱の切り替えなどの操作が可能である。使用者は、ハンドル７４を把持して吸引管７５及び吸込ヘッド１を被清掃面に対して移動し、操作することができる。
【００２７】
図２に示すように、吸込ヘッド１は、吸込ヘッド１の幅方向に延びる上カバー１ａ及び下カバー１ｂと、図１に示す電気掃除機本体７１の延長管７３と連結される継手４と、を有し、平面視形状（図５を参照）が略Ｔ字状をなしている。なお、本明細書において、上下方向は、吸込ヘッド１で被清掃面を掃除する状態における床面側を下として説明し、前後方向は延長管７３に連通する継手４のある側を後方として説明し、幅方向は前後方向及び上下方向に直交する方向として説明する。また、被清掃面は水平で平坦な面とし、水平な被清掃面に吸込ヘッド１が置かれた状態とは被清掃面を吸込ヘッド１で清掃する状態をいう。
【００２８】
吸込ヘッド１は、被清掃面である例えば床面（以下、被清掃面は単に「床面」という）Ｇに対向する底部２０と、底部２０から床面Ｇに向けて突出する回転ブラシ３０と、底部２０から床面Ｇに向けて突出する２つの前車輪６ａ及び２つの後車輪６ｂと、を有する。回転ブラシ３０は、吸込ヘッド１の幅方向のほぼ全体に延びている。吸込ヘッド１の底部２０と床面Ｇとの隙間は、前車輪６ａ及び後車輪６ｂの底部２０からの突出高さで決まる。
【００２９】
上カバー１ａは、合成樹脂製であって、下カバー１ｂを上方から覆う蓋のように載置して固定されている。上カバー１ａの上面は、吸込ヘッド１の上壁部２である。上カバー１ａの幅方向の中央部には、上壁部２から上方に突出した突出部２ａが形成されている。
【００３０】
継手４は、合成樹脂製であって、吸込ヘッド１の幅方向の中央部であって、後方に向かって突出して設けられる。
【００３１】
図３に示すように、前車輪６ａは底部２０の前方に設けられ、後車輪６ｂは底部２０の後方であって取付部３の後端に設けられる。
【００３２】
図４に示すように、吸込ヘッド１の前方の底部２０に吸込開口部１０が開口し、吸込ヘッド１の内側には吸込開口部１０と継手４とを連通する吸込室２１が形成される。継手４は、吸込ヘッド１の後方に突出する取付部３において上カバー１ａと下カバー１ｂとに挟
み込まれるように取り付けられている。継手４は、取付部３に対して継手４の縦軸を中心に回転可能である。
【００３３】
回転ブラシ３０は、吸込開口部１０からその一部が下方に突出するように設けられ、床面Ｇに下端が接触している。回転ブラシ３０は、回転軸３２を中心に回転可能である。回転ブラシ３０を回転させることにより、床面Ｇ上にある塵埃を掻き上げて吸込室２１へと導くことができる。
【００３４】
図５に示すように、回転ブラシ３０は、回転軸３２の両端が下カバー１ｂと図示しない上カバー１ａとの間に回転可能に支持されている。図５の右側の回転軸３２には、電気モータ３４の駆動力を伝えるベルト３５が掛け回されている。したがって、電気モータ３４が駆動すると、ベルト３５を介して回転軸３２及び回転ブラシ３０が回転軸３２を中心に回転する。
【００３５】
吸込ヘッド１は、図５の左側に、電気モータ３４の通電状態と非通電状態を切り替える接点を有するスイッチ４１（図５では破線で示した）と、接点を押すアーム４０と、アーム４０と連動するストッパ片４７と、アーム４０と連動するスイッチ用車輪４４と、を有する。
【００３６】
スイッチ用車輪４４は、カバー４５に対して回転自在に設けられている。カバー４５は、その両端が支持軸４２，４２に固定されている。カバー４５の図５の右側の支持軸４２にはアーム４０が固定され、カバー４５の図５の左側の支持軸４２にはストッパ片４７が固定されている。したがって、アーム４０とストッパ片４７とカバー４５（スイッチ用車輪４４）とは、支持軸４２の回転によって一体となって回転可能である。
【００３７】
アーム４０の右側にある支持軸４２の端部は、コイルスプリング４３が巻回されている。コイルスプリング４３は、その一端が上カバー１ａ及び下カバー１ｂに固定され、コイルスプリング４３の付勢力によって支持軸４２をスイッチ用車輪４４が底部２０から突出する方向に常時付勢している。
【００３８】
また、カバー４５の図５の左側にはストッパ片４７の移動を制限することができるボール４６を有する。
【００３９】
図６に示すように、スイッチ用車輪４４は、上述したようにコイルスプリング４３（図５を参照）の付勢力によって常時床面Ｇに接触する方向に付勢されており、床面Ｇと接触することによって、カバー４５が支持軸４２の回転中心Ｘを中心に回転して、吸込ヘッド１の内部に収容される。スイッチ用車輪４４は、床面Ｇの清掃中においては、そのほとんどの部分をこのように吸込ヘッド１の内部に収容され、底部２０から突出した部分が床面Ｇと接触して回転軸４４ａの周りに回転する。ここでは、スイッチ用車輪４４が最も上昇した位置にある状態を示しているが、実際の清掃中においては、コイルスプリング４３の付勢力によってスイッチ用車輪４４は床面Ｇと接触している。
【００４０】
図７に示すように、床面Ｇの清掃中、スイッチ用車輪４４が床面Ｇと接触している間、ストッパ片４７は、ガイド部４８との間でボール４６を保持した状態にある。
【００４１】
ガイド部４８は、ボール４６を案内する第１〜第３のガイド部４８１〜４８３を有する。
【００４２】
第１のガイド部４８１は、図７のような水平な床面Ｇに吸込ヘッド１を置かれた状態において、上下方向に延び、上端の第１の端部４８１ａと第１の端部４８１ａとは反対側の
下端の第２の端部４８１ｂを有する。床面Ｇの清掃中にあっては、第１のガイド部４８１は、床面Ｇに対してほぼ垂直に延びている。図７の破線４８１ｃは、第１のガイド部４８１の仮想延長線４８１ｃである。
【００４３】
第２のガイド部４８２は、第１のガイド部４８１の上端である第１の端部４８１ａに接続して、第１の端部４８１ａへ向かって上方へ傾斜する。
【００４４】
第３のガイド部４８３は、第１のガイド部４８１の下端である第２の端部４８１ｂに接続して、第２のガイド部４８２とは反対側で第２の端部４８１ｂへ向かって上方へ傾斜する。
【００４５】
ストッパ片４７は、ボール４６を保持可能な湾曲部４７１と、アーム４０と連動して回転する回転中心Ｘのある基端部４７２と、湾曲部４７１を挟んで基端部４７２と反対側の端部である先端部４７３と、を有する。
【００４６】
湾曲部４７１は、ボール４６の半径よりもわずかに大きな曲率半径の面がボール４６の外周に接触してボール４６を保持可能である。湾曲部４７１の開放側は、ボール４６が出入り自在であり、ボール４６の出入りを容易にするためにわずかに開放側へ向けて広がる傾斜面を有する。
【００４７】
基端部４７２は、図５を用いて説明した支持軸４２に固定されている。したがって、基端部４７２には支持軸４２の回転中心Ｘを有する。基端部４７２は、第１のガイド部４８１の仮想延長線４８１ｃ上にある。
【００４８】
先端部４７３は、基端部４７２の回転中心Ｘを中心に回転可能である。先端部４７３は、スイッチ用車輪４４が最も上昇した状態において、図７に示すように、第１のガイド部４８１と第２のガイド部４８２に囲まれた位置まで回転して移動することができる。この状態及びスイッチ用車輪４４が床面Ｇと接触している状態において、先端部４７３とガイド部４８との間の隙間をボール４６は移動することができない。また、ボール４６は、湾曲部４７１の開放側をガイド部４８の第３のガイド部４８３によって制限され、基端部４７２と先端部４７３の間から移動することが制限されている。
【００４９】
図８に示すように、アーム４０は、図５を用いて説明した支持軸４２に固定されている。アーム４０は、支持軸４２の回転中心Ｘを中心に回転することができる。アーム４０の上方には、電気モータ３４（図５を参照）の通電状態と非通電状態を切り替える接点４１ｂを有するスイッチ４１が設けられている。スイッチ４１の下方には、接点４１ｂと接触する接点アーム４１ａが設けられている。なお、接点４１ｂは、図１１に示すような押しボタンであることができる。
【００５０】
図８の状態及びスイッチ用車輪４４が床面Ｇと接触している状態において、アーム４０の回転中心Ｘとは反対側の先端は、接点アーム４１ａを押し上げて、スイッチ４１の接点４１ｂを押しており、電気モータ３４を通電状態、すなわち回転ブラシ３０を回転させている。
【００５１】
次に、吸込ヘッド１を被清掃面である床面Ｇから持ち上げた状態を説明する。
【００５２】
図９は、被清掃面から吸込ヘッド１を持ち上げた状態のＣ−Ｃ断面の一部拡大図である。図１０は、被清掃面から吸込ヘッド１を持ち上げた状態のＤ−Ｄ断面の一部拡大図である。図１１は、被清掃面から吸込ヘッド１を持ち上げた状態のＥ−Ｅ断面の一部拡大図である。図１２は、吸込ヘッド１を上下逆向きにした状態を説明するＤ−Ｄ断面の一部拡大
図である。
【００５３】
図９に示すように、吸込ヘッド１を床面Ｇから持ち上げると、スイッチ用車輪４４がコイルスプリング４３（図５を参照）の付勢力によって底部２０から床面Ｇに向かって押し出される。スイッチ用車輪４４は、回転中心Ｘの周りに回転して図９に示す下限位置に保持される。
【００５４】
図１０に示すように、スイッチ用車輪４４が下限位置（図９を参照）に移動すると、ストッパ片４７は、ボール４６を湾曲部４７１内に保持したまま、回転中心Ｘの周りに回転して、先端部４７３が図１０に示す下限位置に移動する。
【００５５】
図１１に示すように、スイッチ用車輪４４が下限位置（図９を参照）に移動すると、アーム４０は、回転中心Ｘの周りに回転して、接点アーム４１ａが下降し、接点４１ｂを解放する。接点４１ｂが解放されると、スイッチ４１が電気モータ３４への通電状態を解除して、非通電状態とする。したがって、図９〜図１１のように、床面Ｇから吸込ヘッド１を持ち上げると、電気モータ３４が非通電状態となり、回転ブラシ３０が停止する。
【００５６】
図１２に示すように、図９〜図１１の状態から吸込ヘッド１を上下逆向きにすると、ボール４６は、ストッパ片４７の湾曲部４７１から下方へ落ちる。このとき、ストッパ片４７は、コイルスプリング４３の付勢力によってボール４６の落下よりも遅れて回転を開始するため、ボール４６の移動を妨げない。
【００５７】
ボール４６は、図１２に示すガイド部４８の所定位置において、ストッパ片４７の先端部４７３に接触してストッパ片４７の移動を制限する。より具体的には、ガイド部４８は、上下方向に延びる第１のガイド部４８１とストッパ片４７の先端部４７３との間でボール４６の水平方向の移動を制限している。また、第２のガイド部４８２は、湾曲部４７１から落下してきたボール４６を傾斜に沿って案内し、第１のガイド部４８１の第１の端部４８１ａへ向かって転がるように案内する。したがって、ボール４６は、吸込ヘッド１を上下逆向きにされた際に、常にガイド部４８の所定位置、すなわち水平方向で第１のガイド部４８１と接触し、下方で第２のガイド部４８２と接触する位置に案内される。
【００５８】
また、ストッパ片４７の先端部４７３は、回転中心Ｘを中心に回転し、ボール４６が第２のガイド部４８２の傾斜に沿って第１の端部４８１ａへ向けて移動するようにボール４６を押すように回転する。そのため、ボール４６は、より確実に第１のガイド部４８１と第２のガイド部４８２とに接触する所定位置に案内される。
【００５９】
ボール４６がガイド部４８の所定位置に移動すると、ストッパ片４７の先端部４７３は、ボール４６の斜め上方から第１のガイド部４８１と第２のガイド部４８２へ向かって押圧する。このため、ボール４６は、水平方向へも上下方向へも確実に移動が制限される。
【００６０】
さらに、第３のガイド部４８３は、吸込ヘッド１が上下逆向きにされた状態において、ボール４６が第２のガイド部４８２へ転がり落ちるように傾斜しているため、ボール４６をより確実にガイド部４８の所定位置に案内することができる。
【００６１】
また、ストッパ片４７の基端部４７２のテーパ面４８２ａは、第３のガイド部４８３と共に第２のガイド部４８２へ向けて広がるように配置され、ボール４６が第２のガイド部４８２へ向かって移動するように、案内することができる。
【００６２】
以上のように、本実施の形態において、電気掃除機７０は、電気掃除機本体７１に車輪が設けられたいわゆるキャニスター型の電気掃除機７０として説明したが、図１３に示す
ような使用者が電気掃除機本体７１ａを把持して片手で操作するいわゆるスティック型の電気掃除機７０ａであってもよい。
【００６３】
図１３は、本発明の他の実施形態にかかる電気掃除機７０ａの斜視図である。
【００６４】
図１３に示すスティック型の電気掃除機７０ａは、図示しない電動送風機を有する電気掃除機本体７１ａと、電気掃除機本体７１ａに接続された筒状の吸引管７５ａと、吸引管７５ａの先端に接続された吸込ヘッド１と、を具備している。吸引管７５ａは、内部が中空の筒状で剛性のある合成樹脂製である。電気掃除機本体７１ａの内部に配置されている図示しない電動送風機によって内部の空気が吸気、排出されることにより負圧がかかることで吸込ヘッド１及び吸引管７５ａ内に吸込気流を発生させることができる。
【００６５】
ハンドル７４ａには操作スイッチが設けられ、例えば、電動送風機の電源のＯＮとＯＦＦ及び吸引力の強弱の切り替えなどの操作が可能である。電気掃除機本体７１ａの内部には、図示しないバッテリーを有することができる。使用者は、ハンドル７４ａを把持して電気掃除機７０ａを持ち運ぶことができると共に、吸込ヘッド１を被清掃面に対して移動し、操作することができる。
【００６６】
本実施の形態にかかる吸込ヘッド１は、このような軽量で吸込ヘッド１を床面から離して容易に持ち運ぶことのできるスティック型の電気掃除機７０ａに特に有利である。
【００６７】
なお、上記のように本発明の実施の形態について詳細に説明したが、本発明の新規事項及び効果から実体的に逸脱しない多くの変形が可能であることは当業者には容易に理解できよう。
【符号の説明】
【００６８】
１  吸込ヘッド、１ａ  上カバー、１ｂ  下カバー、２  上壁部、２ａ  突出部、３  取付部、４  継手、６ａ  前車輪、６ｂ  後車輪、１０  吸込開口部、２０  底部、２１  吸込室、３０  回転ブラシ、３２  回転軸、３４  電気モータ、３５  ベルト、４０  アーム、４１  スイッチ、４１ａ  接点アーム、４１ｂ  接点、４２  支持軸、４３  コイルスプリング、４４  スイッチ用車輪、４４ａ  回転軸、４５  カバー、４６  ボール、４７  ストッパ片、４８  ガイド部、７０  電気掃除機、７０ａ  電気掃除機、７１  電気掃除機本体、７１ａ  電気掃除機本体、７２  ホース、７３  延長管、７４  ハンドル、７４ａ  ハンドル、７５  吸引管、７５ａ  吸引管、７６  接続部、４７１  湾曲部、４７２  基端部、４７３  先端部、４８１  第１のガイド部、４８１ａ  第１の端部、４８１ｂ  第２の端部、４８２  第２のガイド部、４８３  第３のガイド部、Ｇ  床面
【図１】
2015073675.tif 000003
【図２】
2015073675.tif 000004
【図３】
2015073675.tif 000005
【図４】
2015073675.tif 000006
【図５】
2015073675.tif 000007
【図６】
2015073675.tif 000008
【図７】
2015073675.tif 000009
【図８】
2015073675.tif 000010
【図９】
2015073675.tif 000011
【図１０】
2015073675.tif 000012
【図１１】
2015073675.tif 000013
【図１２】
2015073675.tif 000014
【図１３】
2015073675.tif 000015
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
底部に開口した吸込開口部から一部が突出するように設けられた回転ブラシと、
前記回転ブラシを回転する電気モータと、
前記電気モータの通電状態と非通電状態を切り替える接点を有するスイッチと、
前記接点を押すアームと、
前記アームと連動するストッパ片と、
前記アームと連動するスイッチ用車輪と、
前記ストッパ片の移動を制限することができるボールと、
前記ボールを案内するガイド部と、
を有する吸込ヘッドであって、
前記ガイド部は、水平な被清掃面上に吸込ヘッドが置かれた状態において、上下方向に延びる第１のガイド部と、該第１のガイド部の上端の第１の端部に接続しかつ該第１の端部へ向かって上方へ傾斜する第２のガイド部と、を有し、
前記吸込ヘッドが上下逆向きにされた状態において、前記第２のガイド部は前記ボールを第１の端部へ向かって転がるように案内し、前記第１のガイド部は前記ストッパ片との間で前記ボールの水平方向の移動を制限し、
前記ストッパ片は、前記ボールを保持可能な湾曲部と、前記アームと連動して回転する回転中心のある基端部と、該湾曲部を挟んで該基端部と反対側にある先端部と、を有し、
前記ストッパ片の前記基端部は、前記第１のガイド部の仮想延長線上にあり、
前記ストッパ片の前記先端部は、吸込ヘッドが上下逆向きにされた際に、前記ボールが前記第２のガイド部の傾斜に沿って前記第１の端部へ向けて移動するように前記ボールを押すように回転可能であることを特徴とする、吸込ヘッド。
【請求項２】
請求項１において、
前記第１のガイド部は、前記第１の端部とは反対側の第２の端部を有し、
前記ガイド部は、前記第１のガイド部の前記第２の端部へ向かって上方へ傾斜する第３のガイド部をさらに有し、
前記第３のガイド部は、前記吸込ヘッドが上下逆向きにされた状態において、前記ボールが前記第２のガイド部へ転がるように傾斜していることを特徴とする、吸込ヘッド。
【請求項３】
電動送風機を有する電気掃除機本体と、
前記電気掃除機本体に接続された筒状の吸引管と、
前記吸引管の先端に接続された請求項１または２に記載の吸込ヘッドと、
を具備したことを特徴とする、電気掃除機。
【手続補正２】
【補正対象書類名】明細書
【補正対象項目名】０００７
【補正方法】変更
【補正の内容】
【０００７】
本発明にかかる吸込ヘッドは、
底部に開口した吸込開口部から一部が突出するように設けられた回転ブラシと、
前記回転ブラシを回転する電気モータと、
前記電気モータの通電状態と非通電状態を切り替える接点を有するスイッチと、
前記接点を押すアームと、
前記アームと連動するストッパ片と、
前記アームと連動するスイッチ用車輪と、
前記ストッパ片の移動を制限することができるボールと、
前記ボールを案内するガイド部と、
を有する吸込ヘッドであって、
前記ガイド部は、水平な被清掃面上に吸込ヘッドが置かれた状態において、上下方向に延びる第１のガイド部と、該第１のガイド部の上端の第１の端部に接続しかつ該第１の端部へ向かって上方へ傾斜する第２のガイド部と、を有し、
前記吸込ヘッドが上下逆向きにされた状態において、前記第２のガイド部は前記ボールを第１の端部へ向かって転がるように案内し、前記第１のガイド部は前記ストッパ片との間で前記ボールの水平方向の移動を制限し、
前記ストッパ片は、前記ボールを保持可能な湾曲部と、前記アームと連動して回転する回転中心のある基端部と、該湾曲部を挟んで該基端部と反対側にある先端部と、を有し、
前記ストッパ片の前記基端部は、前記第１のガイド部の仮想延長線上にあり、
前記ストッパ片の前記先端部は、吸込ヘッドが上下逆向きにされた際に、前記ボールが前記第２のガイド部の傾斜に沿って前記第１の端部へ向けて移動するように前記ボールを押すように回転可能であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００２１
【補正方法】変更
【補正の内容】
【００２１】
本発明の一実施の形態にかかる吸込ヘッドは、底部に開口した吸込開口部から一部が突出するように設けられた回転ブラシと、前記回転ブラシを回転する電気モータと、前記電気モータの通電状態と非通電状態を切り替える接点を有するスイッチと、前記接点を押すアームと、前記アームと連動するストッパ片と、前記アームと連動するスイッチ用車輪と、前記ストッパ片の移動を制限することができるボールと、前記ボールを案内するガイド部と、を有する吸込ヘッドであって、前記ガイド部は、水平な被清掃面上に吸込ヘッドが置かれた状態において、上下方向に延びる第１のガイド部と、該第１のガイド部の上端の
第１の端部に接続しかつ該第１の端部へ向かって上方へ傾斜する第２のガイド部と、を有し、前記吸込ヘッドが上下逆向きにされた状態において、前記第２のガイド部は前記ボールを第１の端部へ向かって転がるように案内し、前記第１のガイド部は前記ストッパ片との間で前記ボールの水平方向の移動を制限し、
前記ストッパ片は、前記ボールを保持可能な湾曲部と、前記アームと連動して回転する回転中心のある基端部と、該湾曲部を挟んで該基端部と反対側にある先端部と、を有し、
前記ストッパ片の前記基端部は、前記第１のガイド部の仮想延長線上にあり、
前記ストッパ片の前記先端部は、吸込ヘッドが上下逆向きにされた際に、前記ボールが前記第２のガイド部の傾斜に沿って前記第１の端部へ向けて移動するように前記ボールを押すように回転可能であることを特徴とする。